(57)【要約】  幅にばらつきのある電気差し込み片を支持する看板支持具は、差し込み片を配置する溝を有する支持体を備えている。好適な実施の形態では、２つ、又はそれ以上のガスケットが溝に配置され、各ガスケットは、差し込み片を溝に安定して保持するために、差し込み片と係合するように構成される弾性部を備えている。各ガスケットは、電線等の導体も備え、導体は、差し込み片上の電気端子板と電気接触する位置のガスケットに埋め込まれてもよい。
2009544050.tif 000002
【特許請求の範囲】
【請求項１】
看板に電力を供給可能な電気端子板を有する差し込み片を支持する看板支持具であって、
支持体と、支持体に設けられ、差し込み片を支持する溝と、差し込み片を溝に安定して保持するために、差し込み片に係合するように構成される弾性部を有し、溝に配置される少なくとも１つのガスケットと、差し込み片が溝に挿入されたときに差し込み片上の電気端子板と電気接触する位置のガスケットに取り付けられる少なくとも１つの導体とを備えることを特徴とする看板支持具。
【請求項２】
少なくとも２つのガスケットが前記溝に配置され、前記ガスケットは前記差し込み片の両側に係合するように構成され、各ガスケットは、差し込み片が溝に挿入されたときに前記差し込み片上の電気端子板と係合する導体を有することを特徴とする請求項１に記載の看板支持具。
【請求項３】
前記導体は前記ガスケットに埋め込まれていることを特徴とする請求項２に記載の看板支持具。
【請求項４】
差し込み片が該差し込み片に電力を供給可能な電気端子板を有する看板支持具及び電気差し込み片の組み合わせであって、
前記看板支持具は、支持体と、支持体に設けられ、差し込み片を支持する溝と、差し込み片を溝に安定して保持するために、差し込み片に係合するように構成される弾性部を有し、溝に配置される少なくとも１つのガスケットと、差し込み片が溝に挿入されたときに差し込み片上の電気端子板と電気接触する位置のガスケットに取り付けられる少なくとも１つの導体とを備えることを特徴とする看板支持具及び電気差し込み片の組み合わせ。
【請求項５】
少なくとも２つのガスケットが前記溝に配置され、前記ガスケットは前記差し込み片の両側に係合するように構成され、各ガスケットは、差し込み片が溝に配置されたときに前記差し込み片上の電気端子板と係合する導体を有することを特徴とする請求項４に記載の看板支持具及び電気差し込み片の組み合わせ。
【請求項６】
前記導体は前記ガスケットに埋め込まれていることを特徴とする請求項５に記載の看板支持具及び電気差し込み片の組み合わせ。
【発明の詳細な説明】
【技術分野】
【０００１】
本発明は、看板を支持する装置に関する。より具体的には、本発明は、電気差し込み片を支持する装置に関し、特に、比較的頻繁に変更又は更新する必要のある差し込み片に使用されるものに関する。
【背景技術】
【０００２】
“表示器支持装置”という名称の２００６年２月２４日に出願された米国仮出願番号６０／７７６，３４１は、取り替え可能な差し込み片を挿入可能な一又は複数の溝を有する押し出し支持体を備える表示器支持装置を開示している。押し出し支持体は、差し込み片の厚みが大幅にばらついていても差し込み片を堅固に支持できるように、少なくとも１つのゴム製ガスケットを各溝に備えている。米国仮出願番号６０／７７６，３４１は、参照することにより、本願に組み込まれるものとする。
【０００３】
本願発明は、照射される差し込み片を支持する手段として‘３４１仮出願のゴム製ガスケットを組み込む。例えば、本発明は、看板技術でよく知られている電子発光看板、有機ＬＥＤシート、及びエッジライト式看板に用いられてもよい。
【発明の概要】
【発明が解決しようとする課題】
【０００４】
本発明は、粘着剤、機械式ファスナー、シム等の補足的な固定手段を用いることなく、厚みのばらつく看板を安定して保持可能であり、差し込み片に電力を提供する手段を備える上述した種類の看板支持具を提供する。
【課題を解決するための手段】
【０００５】
本発明は、差し込み片を支持する看板支持具を備え、差し込み片は、差し込み片に供給される電気エネルギーの供給源となる電気端子板を有している。支持具は、支持体と、支持体に設けられ、差し込み片を支持する溝とを備えている。種々の差し込み片の間で厚みがばらついていても差し込み片を安定して保持するために、少なくとも１つ、好ましくは２つの弾性ガスケットが溝に配置され、差し込み片に係合するように構成されている。少なくとも１つの導体が、差し込み片が溝に挿入されたときに差し込み片上の電気端子板に電気接触する位置のガスケットに取り付けられている。
【図面の簡単な説明】
【０００６】
【図１】図１は、本発明の好適な実施の形態に係る看板支持具の断面図である。
【発明を実施するための形態】
【０００７】
図１に示す本発明の好適な実施の形態では、看板支持具は、押し出し支持体８を備えている。押し出し材料は、例えばアルミ等の金属、又は、ポリ塩化ビニール等の適切な樹脂材料であってもよい。図１に示すように、押し出し支持体８は、略楕円形状であり、一対の溝１０，１２を備えている。
【０００８】
本実施の形態では、溝１０，１２は、支持具８の押し出し時に形成されるＴ字形状の２つの溝１４，１６をそれぞれ備えている。溝１４，１６には、Ｔ字形状のガスケット１８，２０が補足的に配置される。ガスケット１４，１６は、ゴム等の弾性材料からなり、ワイパーブレードのように先細りに突出し、溝１０，１２まで延出してもよい。
【０００９】
図１に示す看板支持具８は、例えば、上下方向に延出するように支持されてもよい。すなわち、図１の断面は水平断面となる。差し込み片５４，５６は、溝１０，１２にそれぞれ挿入可能である。差し込み片の端部が１つの溝に挿入されると、溝に配置されたゴム製ガスケットの弾性部が差し込み片に対応して変形し、抵抗力は、差し込み片の厚みに通常のばらつきがあっても差し込み片を安定して支持する程度になる。しかしながら、溝から差し込み片を引き抜いて差し込み片に力を加えることにより、又は、差し込み片を取り外し、他の差し込み片と取り替え可能なように差し込み片を一方に滑らせることにより、この抵抗力に打ち勝つことができる。
【００１０】
ガスケット１８，２０は、スライドさせてＴ字形状の溝１４，１６に挿入される。タルク粉等の滑剤を使用することにより、挿入が容易になる。
【００１１】
以上説明したように、本発明は、さまざまな種類の電気看板に使用することができる。例えば、差し込み片５４，５６が、電子発光看板、又は、有機ＬＥＤである場合、差し込み片は、銅又は他の電気端子板５８を各差し込み片の両側に備えてもよい。各ガスケット１８，２０は、例えば銅の埋め込み導体６０を外表面に備えている。差し込み片５４，５６が溝１０，１２に挿入されると、埋め込み導体（導線）６０と端子板５８とが接触する。したがって、埋め込み導線６０に電圧を印加することにより、看板、又は看板の一部を発光させるために差し込み片５４，５６間に電圧を印加することができる。
【００１２】
端子板５８は、差し込み片に接合される具体的な方法は本発明の特徴ではないが、適切な接着剤により、対応する差し込み片５４又は差し込み片５６に安定して支持されてもよい。同様に、導線６０は、ガスケット１８，２０の材料内に埋め込まれてもよく、他の固定方法が用いられてもよい。
【００１３】
本発明は、照明パネル灯の差し込み片を支持することを目的として設計されたが、看板として機能しない光源を支持するために使用されることも可能である。
【図１】
2009544050.tif 000003
【国際調査報告】
2009544050.tif 000004